(57)【特許請求の範囲】
【請求項１】
画像を読み取る画像読取部と，前記画像読取部により読み取られた画像から生成された送信データを送信する画像送信部と，前記送信データの送信先を記憶するための送信先記憶部と，前記送信データの送信先を選択するための送信先選択部と，前記送信先選択部により前記送信先記憶部に記憶されたもののうちから前記送信データの送信先を選択させ，前記送信先選択部により選択された選択送信先へ前記画像送信部に前記送信データを送信させる送信制御，及び前記送信先記憶部に記憶された前記送信データの送信先を他機器から受信した受信内容に更新する更新制御を少なくとも行う制御部とを備えた画像読取装置において，
前記送信先記憶部に，前記送信データの送信先が格納された基本領域から複写された前記送信データの送信先を格納するための複写領域が確保されており，
前記制御部が，前記送信制御を行う場合に，前記送信先選択部による選択を前記複写領域に格納された前記送信データの送信先のうちから行わせ，前記複写領域から取得した前記選択送信先へ前記画像送信部に前記送信データを送信させてから前記複写領域の内容を消去し，前記更新制御を行う場合に，前記基本領域に格納された前記送信データの送信先を前記受信内容に更新するものであり，さらに，前記基本領域において前記選択送信先に変更が加えられている場合に，前記複写領域の前記選択送信先も変更するか否かを問い合わせるメッセージを前記他機器へ送信させ，前記メッセージに対して前記複写領域の前記選択送信先も変更する応答を前記他機器から受信したときに，前記複写領域の前記選択送信先を前記基本領域の変更後の前記選択送信先に更新してなることを特徴とする画像読取装置。
【請求項２】
前記制御部が，前記送信制御を行う場合に，送信指示がなされてから指定された設定時間が経過後に前記複写領域から取得した前記選択送信先への前記画像送信部による前記送信データの送信を行わせるものである請求項１記載の画像読取装置。
【請求項３】
前記制御部が，前記複写領域に格納されたもののうちから前記送信先選択部により前記送信データの送信先が選択されたときに，前記複写領域に格納された前記送信データの送信先のうち前記選択送信先以外の送信先を，前記複写領域から消去してなる請求項１又は２に記載の画像読取装置。
【請求項４】
前記制御部が，前記送信制御を行う場合に，前記複写領域に格納された前記送信データの送信先のうちから行わせる代わりに，前記送信先選択部による選択を前記基本領域に格納された前記送信データの送信先のうちから行わせ，前記複写領域の代わりに前記基本領域から取得した前記選択送信先へ前記画像送信部に前記送信データを送信させてから，前記複写領域の代わりに前記基本領域の内容を消去し，前記更新制御を行う場合に，前記基本領域の代わりに前記複写領域に格納された前記送信データの送信先を前記受信内容に更新してなる請求項１〜３のいずれかに記載の画像読取装置。
【請求項５】
画像を読み取る画像読取部と，前記画像読取部により読み取られた画像から生成された送信データを送信する画像送信部と，前記送信データの送信先を記憶するための送信先記憶部と，前記送信データの送信先を選択するための送信先選択部と，前記送信先選択部により前記送信先記憶部に記憶されたもののうちから前記送信データの送信先を選択させ，前記送信先選択部により選択された選択送信先へ前記画像送信部に前記送信データを送信させる送信制御，及び前記送信先記憶部に記憶された前記送信データの送信先を他機器から受信した受信内容に更新する更新制御を少なくとも行う制御部とを備えた画像読取装置において，
前記送信データを記憶するための送信データ記憶部を備え，
前記送信先記憶部に，前記送信データの送信先が格納された基本領域から複写された前記送信データの送信先を格納するための複写領域が確保されており，
前記制御部が，前記送信制御を行う場合に，前記送信先選択部による選択を前記複写領域に格納された前記送信データの送信先のうちから行わせ，前記送信データの送信先が選択されたときに，前記複写領域から前記送信データ記憶部に前記選択送信先を複写し，前記複写領域に格納された送信先は全て消去し，送信指示がなされてから指定された設定時間が経過後に前記送信データ記憶部から取得した前記選択送信先へ前記画像送信部に前記送信データを送信させ，前記更新制御を行う場合に，前記基本領域に格納された前記送信データの送信先を前記受信内容に更新してなることを特徴とする画像読取装置。
【発明の詳細な説明】
【０００１】
【発明の属する技術分野】
本発明は，読み取った画像を送信する機能を有した例えばファクシミリやスキャナ，複合機などであって，予め登録された画像の送信先を，パーソナルコンピュータなどの他機器から更新し得る画像読取装置に関するものである。
【０００２】
【従来の技術】
例えはファクリミリに備えられたメモリには，通常，送信先のファックス番号や送信先の名称などを記憶するための領域が確保される。利用者が，送信頻度の高い送信先をこのメモリ領域に予め登録しておき，ファクシミリ本体の操作パネルを用いるなどして，登録した送信先を選択すれば，画像を送信するにあたってファックス番号を入力する利用者の手間はかなり軽減される。
パーソナルコンピュータやネットワークに接続されるファクシミリであれば，それに対応したソフトウェアをコンピュータ上で動作させるなどして，送信先の登録，登録内容の変更及び削除を行うことも可能である。例えばコンピュータのディスプレイに登録内容を表示させれば一覧性がよくなるし，送信先の登録，変更，削除などのために利用者がファクシミリのある場所まで出向く必要もなくなる。
ただし，この場合，ファクシミリ本体の操作パネルを用いて画像を送信する操作と，コンピュータなどの他機器を用いた登録内容に対する操作とが同時に行われると不都合が起きる場合がある。
例えばそれは，ある者がファクシミリ本体の操作パネルを用いて選択した送信先が，画像データの送信が完了しないうちに，他機器を利用する他者により削除・変更されてしまうような場合である。この場合，画像データの送信ができなかったり，他のところに送信されてしまうような不都合が起きる。
このため，ファクシミリ本体の操作パネルを用いて送信先を選択しようとしてから画像データの送信が完了するまでの間は，他機器を用いた登録内容の更新が行えないようにして，前記不都合を避ける必要があった。
【０００３】
【発明が解決しようとする課題】
しかしながら，ファクシミリ本体の操作パネルを用いて送信先を選択しようとしてから画像データを送信するまでの間，他機器を用いた登録内容の更新が行えないようにすると，その間，他機器により登録内容の更新を行おうとする者を待たせることになる。
特に，画像を読み取ってから直ぐに画像を送信せず，指定した時間に読み取った画像データを送信する予約送信の場合には，待ち時間が著しく長くなる恐れもあり，折角他機器を用いて登録内容の更新をし得るようにしていても，その利便性が損なわれてしまう。
このような課題は，ファクシミリだけでなく，予め登録された画像の送信先を他機器から更新し得るスキャナや複合機などファクシミリ以外の他の画像読取装置にも発生する恐れがある。
本発明は，このような従来の技術における課題を鑑みてなされたものであり，他機器の利用者が画像の送信が完了するのを待つことなく予め登録された送信先を随時更新することができ，また画像を送信しようとしている利用者の意図とは異なったところに画像が送信されるのを防止することができる画像読取装置を提供することを目的とするものである。
【０００４】
【課題を解決するための手段】
上述の目的を達成するために，本発明は，画像を読み取る画像読取部と，前記画像読取部により読み取られた画像から生成された送信データを送信する画像送信部と，前記送信データの送信先を記憶するための送信先記憶部と，前記送信データの送信先を選択するための送信先選択部と，前記送信先選択部により前記送信先記憶部に記憶されたもののうちから前記送信データの送信先を選択させ，前記送信先選択部により選択された選択送信先へ前記画像送信部に前記送信データを送信させる送信制御，及び前記送信先記憶部に記憶された前記送信データの送信先を他機器から受信した受信内容に更新する更新制御を少なくとも行う制御部とを備えた画像読取装置において，前記送信先記憶部に，前記送信データの送信先が格納された基本領域から複写された前記送信データの送信先を格納するための複写領域が確保されており，前記制御部が，前記送信制御を行う場合に，前記送信先選択部による選択を前記複写領域に格納された前記送信データの送信先のうちから行わせ，前記複写領域から取得した前記選択送信先へ前記画像送信部に前記送信データを送信させてから前記複写領域の内容を消去し，前記更新制御を行う場合に，前記基本領域に格納された前記送信データの送信先を前記受信内容に更新するものであり，さらに，前記基本領域において前記選択送信先に変更が加えられている場合に，前記複写領域の前記選択送信先も変更するか否かを問い合わせるメッセージを前記他機器へ送信させ，前記メッセージに対して前記複写領域の前記選択送信先も変更する応答を前記他機器から受信したときに，前記複写領域の前記選択送信先を前記基本領域の変更後の前記選択送信先に更新してなることを特徴とする画像読取装置として構成されている。
本発明に係る画像読取装置では，読み取った画像から生成された送信データの送信先を記憶するための送信先記憶部に，前記送信データの送信先が格納された基本領域から複写された前記送信データの送信先を格納するための複写領域が確保されている。また，制御部は，前記送信データの送信先を選択するための送信先選択部により前記送信先記憶部に記憶されたもののうちから前記送信データの送信先を選択させ，前記送信先選択部により選択された選択送信先へ前記画像送信部に前記送信データを送信させる送信制御を行う場合に，前記送信先選択部による選択を前記複写領域に格納された前記送信データの送信先のうちから行わせ，前記複写領域から取得した前記選択送信先へ前記画像送信部に前記送信データを送信させてから，前記複写領域の内容を消去し，前記送信先記憶部に記憶された前記送信データの送信先を他機器から受信した受信内容に更新する更新制御を行う場合に，前記基本領域に格納された前記送信データの送信先を前記受信内容に更新する。前記送信データの送信先が選択されるのは前記複写領域からであり，前記画像送信部により前記送信データが送信されるのは，前記複写領域から取得された送信先であり，また前記更新制御を行う場合に前記基本領域に格納された前記送信データの送信先を前記受信内容に更新するから，例えば前記送信先選択部により前記送信データの送信先が選択された後に前記更新制御が行われたとしても，その更新の影響は前記送信データの送信には及ばない。従って，他機器の利用者は，前記画像送信部による前記送信データの送信が完了するのを待つことなく，前記送信先記憶部の記憶内容を随時更新することができ，また，画像を送信しようとしている利用者の意図とは異なったところに画像が送信されることもない。
また，例外的に，前記画像送信部により前記送信データの送信先を更新後のものにした方が好ましい場合，例えば前記送信データの送信を行おうとしている者が前記送信先記憶部に記憶された送信先（のファックス番号など）が実際には既に利用されなくなっているのを知らず，他機器の利用者がその送信先を修正しようとその送信先に変更を加えるような場合に，既に定められた前記選択送信先を変更しないか変更するかを前記他機器の利用者が選択することができ，誤った送信先を修正するなどの確固とした理由がある場合には前記選択送信先を変更し，そうでない場合には前記選択送信先はそのままにしておくなど，利用者の要望に対する柔軟性を高めることができる。
上記構成は，特に，前記制御部が，前記送信制御を行う場合に，送信指示がなされてから指定された設定時間が経過後に前記複写領域から取得した前記選択送信先への前記画像送信部による前記送信データの送信を行わせるものである場合に好適である。
【０００５】
前記画像読取装置において，前記送信先記憶部に空き領域があれば，当該空き領域を，他のデータを記憶するのに利用することもできる。
前記送信先選択部により前記送信データの送信先が選択された後は，前記複写領域に複写された前記送信データの送信先全てを記憶しておく必要はなく，前記送信先選択部により選択された選択送信先だけが記憶されていればよい。
そこで，例えば前記複写領域に格納されたもののうちから前記送信先選択部により前記送信データの送信先が選択されたときに，前記複写領域に格納された前記送信データの送信先のうち前記選択送信先以外の送信先を，前記制御部により前記複写領域から消去させる。
これにより，前記画像送信部により前記送信データが送信されてから前記複写領域の内容を一括消去する場合と比べて，前記送信先記憶部の空き領域が少ない期間が短縮され，空き領域を効率的に利用することができる。
また，前記送信先記憶部の空き領域を効率的に利用するため，前記画像読取装置に備えられた前記送信データを記憶するための送信データ記憶部を利用することもできる。
例えば，画像を読み取る画像読取部と，前記画像読取部により読み取られた画像から生成された送信データを送信する画像送信部と，前記送信データの送信先を記憶するための送信先記憶部と，前記送信データの送信先を選択するための送信先選択部と，前記送信先選択部により前記送信先記憶部に記憶されたもののうちから前記送信データの送信先を選択させ，前記送信先選択部により選択された選択送信先へ前記画像送信部に前記送信データを送信させる送信制御，及び前記送信先記憶部に記憶された前記送信データの送信先を他機器から受信した受信内容に更新する更新制御を少なくとも行う制御部とを備えた画像読取装置において，前記送信データを記憶するための送信データ記憶部を備え，前記送信先記憶部に，前記送信データの送信先が格納された基本領域から複写された前記送信データの送信先を格納するための複写領域が確保されており，前記制御部が，前記送信制御を行う場合に，前記送信先選択部による選択を前記複写領域に格納された前記送信データの送信先のうちから行わせ，前記送信データの送信先が選択されたときに，前記複写領域から前記送信データ記憶部に前記選択送信先を複写し，前記複写領域に格納された送信先は全て消去し，送信指示がなされてから指定された設定時間が経過後に前記送信データ記憶部から取得した前記選択送信先へ前記画像送信部に前記送信データを送信させ，前記更新制御を行う場合に，前記基本領域に格納された前記送信データの送信先を前記受信内容に更新してなることを特徴とする画像読取装置として構成されたものである。
これにより，前記送信先選択部により前記送信データの送信先が選択された後は，前記複写領域が全て空き領域となり，前記送信先記憶部の空き領域を効率的に利用することができる。
【０００６】
また，前記画像読取装置において，前記制御部が，前記送信制御を行う場合に，前記複写領域に格納された前記送信データの送信先のうちから行わせる代わりに，前記送信先選択部による選択を前記基本領域に格納された前記送信データの送信先のうちから行わせ，前記複写領域の代わりに前記基本領域から取得した前記選択送信先へ前記画像送信部に前記送信データを送信させてから，前記複写領域の代わりに前記基本領域の内容を消去し，前記更新制御を行う場合に，前記基本領域の代わりに前記複写領域に格納された前記送信データの送信先を前記受信内容に更新させるようにしても，他機器の利用者は，前記画像送信部による前記送信データの送信が完了するのを待つことなく，前記送信先記憶部の記憶内容を随時更新することができ，また，画像を送信しようとしている利用者の意図とは異なったところに画像が送信されることも防止される。
【０００７】
【発明の実施の形態】
以下，添付図面を参照して，本発明の実施の形態につき説明し，本発明の理解に供する。なお，以下の実施の形態は，本発明の具体的な例であって，本発明の技術的範囲を限定する性格のものではない。
ここに，図１は本発明の実施の形態に係るファクシミリの概略構成を示す図，図２は前記ファクシミリが備える送信先記憶部の記憶内容の具体例を示す図，図３は前記ファクシミリの動作を説明するためのフローチャート，図４は前記動作における前記送信先記憶部の記憶内容の変遷を示す図である。
図１に示す如く，本発明の実施の形態に係るファクリシミリＡ１は，スキャナ部１，ジョブ記憶部２，ファックス送受信部３，送信先記憶部５，操作・表示部６，ネットワークインターフェース部７，制御部９などを備える。
前記スキャナ部（本発明における画像読取部の具体例）１は，例えば線的に配列されたＣＣＤなどの光電変換素子により，文書などが記された用紙の光学像を電気信号に変換しながら，前記光電変換素子の配列方向とは直角方向に，前記光電変換素子に対して用紙を相対的に移動させて，２次元的な画像データを取得するものである。
前記ジョブ記憶部（本発明における送信データ記憶部に相当）２は，前記スキャナ部１により取得された画像データから生成した送信データを格納しておくためのメモリ又はメモリ上の領域である。前記送信データは，例えば前記画像データに送信日，送信先ファックス番号，送信枚数などを合成することにより前記画像データから生成されたものや，他のデータが合成されていない前記画像データ自体を含む。
前記ファックス送受信部（本発明における画像送信部に相当）３は，前記ジョブ記憶部２に記憶された前記送信データを公衆電話回線４を通じて他のファクシミリなどに送信したり，公衆電話回線４を通じて他のファクシミリから送信された送信データを受信するものである。
【０００８】
前記送信先記憶部５は，前記ファックス送受信部３により送信する前記送信データの送信先（のファックス番号など）を記憶するためのメモリ又はメモリ上の領域であり，前記送信先記憶部５には，利用者により入力された前記送信データの送信先が格納される基本領域（以下，送信先アドレス帳と称する）５１と，前記基本領域５１から複写された前記送信データの送信先を一時的に格納するための複写領域（以下，アドレス帳一時記憶部と称する）５２とが確保されている。図２に前記送信先アドレス帳５１に格納された前記送信データの送信先の具体例を示す。
図２の例では，送信先の名称と送信先のファックス番号とが前記送信先アドレス帳５１に記憶されていることが示されている。送信先の名称とファックス番号の各組合せにはそれぞれ互いに異なる識別番号がそれぞれ与えられ，その識別番号によって各組合せが識別される。例えば識別番号「１」が与えられた送信先の名称は「○○株式会社」であり，そのファックス番号は「０７３２−００−００００」である。また，識別番号「２」が与えられた送信先の名称は「△商店」であり，そのファックス番号は「０７４２−００−１１１１」である。
前記操作・表示部（本発明における送信先選択部に相当）６は，前記ファクシミリＡ１の筐体外面に設けられた数字キーやその他の操作ボタン，ＬＣＤなどの表示デバイスなどを含む。ファックス番号を入力する場合には，ファックス番号の数字を一つずつ数字キーを用いて入力するか，前記操作ボタンを操作して，前記送信先アドレス帳５１に記憶された送信先を選択して入力することになる。前記送信先アドレス帳５１に記憶されたファックス番号を選択する場合には，例えば前記送信先アドレス帳５１に記憶されたファックス番号を選択することを指示する指示ボタンを押してから，前記数字キーを押すなどの操作が行われる。前記指示ボタンを押してから操作する前記数字キーは，例えば送信先の名称とファックス番号との各組合せにそれぞれ与えられた前記識別番号に一致する。前記識別番号「１」であれば，前記指示ボタンを操作した後，数字「１」を表す数字キーが操作される。
【０００９】
前記ネットワークインターフェース部７は，例えばＬＡＮを介して接続されたパーソナルコンピュータ（他機器の具体例）８などと通信を行うＬＡＮカードである。前記パーソナルコンピュータ８上では，前記送信先アドレス帳５１の内容をＬＡＮを通じて前記ネットワークインターフェース部７から受信して表示し，前記送信先アドレス帳５１のファックス番号などを変更したり削除したり，前記送信先アドレス帳５１に新しいファッス番号などを登録したりする更新の内容をを前記ネットワークインターフェース部７に送信するプログラムが動作する。
前記制御部９は，前記ファクシミリＡ１全体を制御するものであり，例えばマイクロプロセッサと制御内容が記述されたプログラムとを用いて具体化される。前記制御部９は，前記操作・表示部６による選択を前記アドレス帳一時記憶部５２に格納された前記送信データの送信先のうちから行わせ，前記アドレス帳一時記憶部６２に格納された前記送信データの送信先のうち前記操作・表示部６により選択された選択送信先へ前記ファックス送受信部３に前記送信データを送信させてから，前記アドレス帳一時記憶部５２の内容を消去する送信制御と，前記送信先アドレス帳５１に格納された前記送信データの送信先を，前記パーソナルコンピュータ８から受信した受信内容に更新する更新制御とを少なくとも行う。
【００１０】
以下，前記ファクシミリＡ１の動作について説明する。なお，図４における網かけ領域は前記送信先記憶部５の空き領域を示す。
予め，前記ファクシミリＡ１の前記送信先記憶部５内にある前記送信先アドレス帳５１には，例えば図２や図４（ａ）に示す如く，送信先の名称やファックス番号，前記識別番号などが記憶されており，一方，前記送信先記憶部５内にある前記アドレス帳一時記憶部６２は，図４（ｂ）に示す如く，全て空き領域となっている。
そして，まず利用者により，前記ファクリミリＡ１の前記操作・表示部６にある操作ボタンが操作されると，前記制御部９により，どの前記操作ボタンが操作されたかが取得される。
操作された前記操作ボタンが前記指示ボタンである場合，前記制御部９により，前記ファクシミリＡ１の前記操作・表示部６にある前記数字キーを用いて前記送信データの送信先を選択することが指示されたものとの判定がなされ，図４（ｃ）に示す如く，前記送信先アドレス帳５１の内容が，前記アドレス帳一時記憶部５２に複写される（Ｓ１０１）。
次に，前記指示ボタンが利用者により操作された後，前記数字キーが利用者により操作されると，操作された前記数字キーがいずれのものであるかが前記制御部９により取得され，前記アドレス帳一時記憶部５２に複写された送信先のうち，操作された前記数字キーが表す数字と一致する前記識別番号を与えられた送信先に対して，送信することを意味するフラグが設定される（Ｓ１０２）。操作された前記数字キーが「３」であれば，前記識別番号「３」が与えられた送信先（名称「□□商事」，ファックス番号「０３−７７７７−７７７７」）に対して，送信することを意味するフラグが設定される。
例えばこの後，前記パーソナルコンピュータ８からＬＡＮを通じて前記送信先記憶部５に記憶された前記送信データの送信先の送信要求が前記ネットワークインターフェース部７に送信され，その送信要求が前記ネットワークインターフェース部７により受信されると，前記制御部９の制御に従って，前記送信先アドレス帳５１の内容が前記ネットワークインターフェース部７により前記パーソナルコンピュータ８に送信される。そして，前記パーソナルコンピュータ８上の前記プログラムを用いて，前記送信データの送信先に対して，変更や削除などの更新が行われる（Ｓ２０１）。
前記送信データの送信先に対して更新が行われてから，その更新の実行が前記パーソナルコンピュータ８の利用者により指示されると，前記パーソナルコンピュータ８から更新の内容が送信される（Ｓ２０２）。前記パーソナルコンピュータ８から送信された前記内容が前記ネットワークインターフェース部７により受信されると，前記制御部９により，前記送信先記憶部５の前記送信先アドレス帳５１の内容が前記ネットワークインターフェース部７により受信された受信内容に更新される。
これにより，例えば図４（ｄ）に示す如く，前記識別番号「３」が与えられた前記送信先が前記送信先アドレス帳５１から削除される。
【００１１】
また，このような動作とは別個に，前記操作・表示部６により送信先を選択した利用者により，前記スキャナ部１に用紙がセットされると，前記制御部９の制御に従って，前記スキャナ部１により当該用紙の画像データが読み取られる（Ｓ１０３）。前記制御部９により前記画像データから前記送信データが生成され，前記送信データは前記識別番号と関連付けられた状態で前記ジョブ記憶部２に記憶される。
前記ジョブ記憶部２に前記送信データが記憶されてから，直ぐに又は予め設定された時刻に，前記制御部９により前記フラグが設定された送信先が検索され，前記アドレス帳一時記憶部５２から前記選択送信先が取得される。そして，前記制御部９の制御に従って，前記アドレス帳一時記憶部５２から取得された前記選択送信先へ前記公衆電話回線４を通じて前記ファックス送受信部３により前記送信データが送信される。
仮に，前記送信データの送信先が前記送信先アドレス帳５１から取得されるとするならば，この場合，前記送信データを送信すべき前記識別番号「３」が与えられた送信先が前記送信先アドレス帳５１から削除されているから，前記送信データの送信が行えなくなってしまうが，上述のように，前記ファクシミリＡ１では，前記選択送信先は前記アドレス帳一時記憶部５２から取得されるため，このような不都合は回避される。従って，前記送信先記憶部５の内容の更新は随時行うことができるし，前記送信データを送信しようとしていた利用者の意図通りの送信先に確実に前記送信データを送信することができる。
前記送信データの送信が完了すると（Ｓ１０４），前記制御部９により，図４（ｅ）に示す如く，前記アドレス帳一時記憶部５２に複写された前記送信データの送信先が消去され（Ｓ１０５），再び前記アドレス帳一時記憶部５２の全領域が空き領域となる。さらに，前記ジョブ記憶部２の内容も消去される。
この後，再び前記指示ボタンが操作された場合，前記制御部９により，前記ファクシミリＡ１の前記操作・表示部６にある前記数字キーを用いて前記送信データの送信先を選択することが指示されたものとの判定がなされ，図４（ｆ）に示す如く，図４（ｄ）に示した前記送信先アドレス帳５１の内容が，前記アドレス帳一時記憶部５２に複写され，それ以降の手順が繰り返され，再び前記送信データの送信が完了すると，図４（ｇ）に示す如く，前記アドレス帳一時記憶部５２の内容が前記制御部９により消去される。
【００１２】
【実施例】
前記ファクシミリＡ１の前記実施の形態に係る動作では，前記送信データの送信が完了するまで，前記送信先アドレス帳５１から複写された全ての送信先が前記アドレス帳一時記憶部５２に格納されており，前記送信データの送信が完了してから，それらは前記アドレス帳一時記憶部５２から消去された。
ただし，前記操作・表示部６により前記送信データの送信先が選択された後は，前記アドレス帳一時記憶部５２に複写された前記送信データの送信先全てを記憶しておかなくとも，前記操作・表示部６により選択された選択送信先さえ前記アドレス帳一時記憶部５２に記憶されていれば，前記アドレス帳一時記憶部５２から前記選択送信先を取得して前記ファックス送受信部３に前記送信データを送信させることはできる。
そこで，前記アドレス帳一時記憶部５２に複写されたもののうちから前記操作・表示部６により前記送信データの送信先が選択されたときに，前記アドレス帳一時記憶部５２に複写された前記送信データの送信先のうち前記操作・表示部６により選択された選択送信先以外の送信先を，前記制御部９により前記アドレス帳一時記憶部５２から消去させる。このようなファクシミリＡ１の動作を，図５及び図６を用いて説明する。なお，図５はこのようなファクシミリの動作を説明するためのフローチャートであり，図６はその動作中における前記送信先アドレス帳５１や前記アドレス帳一時記憶部５２の記憶内容の変遷を示す図である。
【００１３】
図３，及び図４を用いて説明した前記ファクシミリＡ１の動作と同様に，前記制御部９により，前記ファクシミリＡ１の前記操作・表示部６にある前記数字キーを用いて前記送信データの送信先を選択することが指示されたものとの判定がなされると，図６（ｃ）に示す如く，前記送信先アドレス帳５１の内容が，前記アドレス帳一時記憶部５２に複写される（Ｓ５０１）。
次に，前記操作・表示部６を用いて，前記アドレス帳一時記憶部５２に複写されたもののうちから送信先が選択されると（Ｓ５０２），図６（ｅ）に示す如く，前記操作・表示部６により選択された選択送信先以外の送信先が，前記制御部９により前記アドレス帳一時記憶部５２から消去される（Ｓ５０４）。
前記スキャナ部１による画像データの読み取りは，前記手順Ｓ１０２と手順Ｓ１０３との間に行ってもよいし（Ｓ５０３），前記手順Ｓ５０４の後に行ってもよい。
そして，前記制御部９により前記アドレス帳一時記憶部５２から前記選択送信先が取得され，前記制御部９の制御に従って，前記アドレス帳一時記憶部５２から取得された前記選択送信先へ前記公衆電話回線４を通じて前記ファックス送受信部３により前記送信データが送信される。
前記送信データの送信が完了すると（Ｓ５０５），図６（ｆ）に示す如く，前記制御部９により前記アドレス帳一時記憶部５２から前記選択送信先も消去される（Ｓ５０６）。
これにより，前記ファックス送受信部３により前記送信データが送信されてから前記アドレス帳一時記憶部５２の内容を一括消去する場合と比べて，前記送信先記憶部５の空き領域が少ない期間が短縮され，空き領域を効率的に利用することができる。
【００１４】
また，前記送信先記憶部５の空き領域を効率的に利用するために，前記ファクシミリＡ１に備えられた前記ジョブ記憶部２を利用することもできる。前記ジョブ記憶部２を利用して前記送信先記憶部５の空き領域を形成する動作を図７及び図８を用いて説明する。なお，図７は前記ジョブ記憶部２を利用して前記送信先記憶部５の空き領域を形成する動作を説明するためのフローチャート，図８はその動作中における前記送信先アドレス帳５１や前記アドレス帳一時記憶部５２の記憶内容の変遷を示す図である。
前記ジョブ記憶部２を利用する場合，前記送信先アドレス帳５１の内容が前記アドレス帳一時記憶部５２に複写された後（Ｓ７０１），前記アドレス帳一時記憶部５２に複写されたもののうちから前記操作・表示部６により送信先が選択されると（Ｓ７０２），図８（ｅ）に示す如く，前記操作・表示部６により選択された前記選択送信先のみが前記アドレス帳一時記憶部５２から前記ジョブ記憶部２に前記制御部９により複写される（Ｓ７０４）。
前記選択送信先が前記アドレス帳一時記憶部５２から前記ジョブ記憶部２に複写されると，図８（ｆ）に示す如く，前記制御部９により前記アドレス帳一時記憶部５２の内容が全て消去される（Ｓ７０５）。
そして，前記制御部９により前記ジョブ記憶部２から前記選択送信先が取得され，前記制御部９の制御に従って，前記ジョブ記憶部２から取得された前記選択送信先へ前記公衆電話回線４を通じて前記ファックス送受信部３により前記送信データが送信される。
前記送信データの送信が完了すると（Ｓ７０６），図８（ｇ）に示す如く，前記制御部９により前記ジョブ記憶部２に複写された前記選択送信先も消去される。
この例の場合にも，前記ファックス送受信部３により前記送信データが送信されてから前記アドレス帳一時記憶部５２の内容を一括消去する場合と比べて，前記送信先記憶部５の空き領域が少ない期間が短縮され，空き領域を効率的に利用することができる。
【００１５】
ところで，原則的には前記パーソナルコンピュータ８の利用者が随時前記送信先記憶部５に記憶された前記送信データの送信先を更新しても，前記ファックス送受信部３による前記送信データの送信などに影響を及ぼさないようにすることが必要であるが，例外的に，前記ファックス送受信部３による前記送信データの送信先を更新後のものにした方が好ましい場合もある。
このような場合に備え，前記制御部９が，前記送信先アドレス帳５１において前記選択送信先に変更が加えられている場合に，前記アドレス帳一時記憶部５２から取得する代わりに前記送信先アドレス帳５１から取得した前記選択送信先へ前記ファックス送受信部３に前記送信データを送信させるようにしてもよい。
このような動作のフローチャートを図９に，その動作中における前記送信先アドレス帳５１や前記アドレス帳一時記憶部５２の記憶内容の変遷を図１０にそれぞれ示す。
これまでの例と同様に，前記送信先アドレス帳５１の内容が前記アドレス帳一時記憶部５２に複写された後（Ｓ９０１），前記操作・表示部６を用いて前記アドレス帳一時記憶部５２に記憶されたもののうちから送信先が選択される（Ｓ９０２）。例えば図１０（ｃ）に示すの太枠にて示すが如く，前記アドレス帳一時記憶部５２に複写されたもののうち，前記識別番号「１」が与えられた送信先と，前記識別番号「３」が与えられた送信先とが選択される。
前記操作・表示部６により前記アドレス帳一時記憶部５２から送信先が選択されると，この例では，送信先を選択した利用者が他者による送信先の変更を受け入れるか否かが予め確認され（Ｓ９０３），変更を受け入れる場合には，その旨を表す情報が前記制御部９により前記操作・表示部６により選択された前記選択送信先に関連付けられる。
前記送信先アドレス帳５１を更新する内容が前記パーソナルコンピュータ８からＬＡＮを通じて前記ネットワークインターフェース部７へ送信され（Ｓ２０２），それが前記ネットワークインターフェース部７により受信されると，前記制御部９により，前記送信先記憶部５の前記送信先アドレス帳５１の内容が前記ネットワークインターフェース部７により受信された受信内容に更新される。
【００１６】
この更新の結果，例えば図１０（ｄ）に示す如く，前記操作・表示部６により選択された前記選択送信先のうち，前記識別番号「１」が与えられた前記送信先のファックス番号が変更され，前記識別番号「３」が与えられた前記送信先が削除される。
このような状態で，前記スキャナ部１により画像データが取得され（Ｓ９０４），前記画像データから生成された前記送信データが前記ジョブ記憶部２に記憶されてから，送信の指示があると，前記制御部９の制御に従って，前記ファックス送受信部３による前記送信データの送信処理が開始される（Ｓ９０５）。
前記送信処理では，はじめに前記手順Ｓ９０３において，送信先を選択した利用者が他者による変更を受け入れることを同意しているか否かが，各前記選択送信先に前記情報が関連付けられているか否かに基づいて前記制御部９により判定される（Ｓ９０６）。
送信先を選択した利用者が他者による変更を受け入れることを同意している場合，次に，前記制御部９により前記送信先アドレス帳５１と前記アドレス帳一時記憶部５２との内容が比較され，前記送信先アドレス帳５１において各選択送信先が削除されているか否かが判定される（Ｓ９０７）。前記送信先アドレス帳５１において前記選択送信先が削除されていると判定された場合，前記アドレス帳一時記憶部５２にある前記選択送信先がそのまま前記選択送信先として使用される（Ｓ９０８）。前記識別番号「３」が与えられた選択送信先は前記送信先アドレス帳５１において削除されているため，前記手順Ｓ９０８において，前記アドレス帳一時記憶部５２にある前記選択送信先がそのまま前記選択送信先として使用されることが定められる。
次に，前記制御部９により前記送信先アドレス帳５１において各選択送信先に変更があるか否かが判定される（Ｓ９０９）。前記送信先アドレス帳５１において前記選択送信先に変更がないとの判定がされた場合には，前記アドレス帳一時記憶部５２にある前記選択送信先がそのまま前記選択送信先として使用されるが，前記送信先アドレス帳５１において前記選択送信先に変更があるとの判定がされた場合には，前記アドレス帳一時記憶部５２の代わりに，前記送信先アドレス帳５１の変更後の送信先が前記選択送信先として使用される（Ｓ９１０）。
前記識別番号「１」が与えられた前記選択送信先は前記送信先アドレス帳５１において変更が加えられているため，前記アドレス帳一時記憶部５２に記憶された変更前の前記選択送信先は使用されない。前記制御部９により，前記送信先アドレス帳５１から前記識別番号「１」が与えられた変更後の前記選択送信先が取得され，前記制御部９の制御に従って，変更後の前記選択送信先へ前記ファックス送受信部３により前記公衆電話回線４を通じて前記送信データが送信される。
変更後の前記選択送信先への前記送信データの送信が完了すると（Ｓ９１１），前記制御部９により，前記アドレス帳一時記憶部５２の内容が全て消去される（Ｓ９１２）。
これにより，前記送信先記憶部に記憶された前記送信データの送信先に誤りがあるような場合でも，利用者が本当に意図していた送信先に前記送信データを送信する可能性を高くすることができる。
【００１７】
また，前記送信先アドレス帳５１において前記選択送信先に変更が加えられている場合に，前記アドレス帳一時記憶部５２の前記選択送信先も変更するか否かを問い合わせるメッセージを前記パーソナルコンピュータ８へ送信させ，前記メッセージに対して前記アドレス帳一時記憶部５２の前記選択送信先も変更する応答が前記パーソナルコンピュータ８から受信されたときに，前記アドレス帳一時記憶部５２の前記選択送信先を前記送信先アドレス帳５１の変更後の前記選択送信先に変更する動作を前記制御部９の制御により行わせる場合がある。この場合の動作を説明するためのフローチャートを図１１に，その動作中における前記送信先アドレス帳５１や前記アドレス帳一時記憶部５２の記憶内容の変遷を図１２にそれぞれ示す。
図９の手順Ｓ９０１乃至Ｓ９０４と同様に，手順Ｓ１１０１乃至Ｓ１１０４が行われてから，設定時間後に送信を行うという利用者からの指示に従って，前記送信データの送信が待機状態になった後（Ｓ１１０５），前記パーソナルコンピュータ８から前記送信要求がＬＡＮを通じて前記ネットワークインターフェース部７に送信され，前記送信先アドレス帳５１の更新処理が開始されたものとする。
前記編集処理において，前記パーソナルコンピュータ８から送信されＬＡＮを通じて前記ネットワークインターフェース部７により受信された受信内容に，前記選択送信先を変更するものが含まれているか否かが前記制御部９により判定される（Ｓ２００１）。
例えば前記手順Ｓ１１０２において，前記識別番号「１」が与えられた送信先が前記操作・表示部６により選択されており，図１２（ｄ）に示す如く，前記送信先アドレス帳５１を更新する内容では，前記識別番号「１」が与えられた前記選択送信先のファックス番号が変更されている場合，前記送信先アドレス帳５１を更新する内容に前記選択送信先を変更するものが含まれているとの判定が前記制御部９によりなされる。
前記受信内容に前記選択送信先を変更するものが含まれているとの判定がなされた場合，前記手順Ｓ１１０３において，送信先を選択した利用者が他者による変更を受け入れることを同意しているか否かが，各前記選択送信先に前記情報が関連付けられているか否かで判定される（Ｓ２００２）。
【００１８】
送信先を選択した利用者が他者による変更を受け入れることを同意しているとの判定がなされた場合，前記アドレス帳一時記憶部５２にある前記選択送信先も変更するか否かを問い合わせるメッセージが前記制御部９により生成され，前記制御部９の制御に従って，前記ネットワークインターフェース部７から前記パーソナルコンピュータ８へ前記メッセージが送信される。その後，前記パーソナルコンピュータ８からの前記メッセージに対する応答が前記ネットワークインターフェース部７により受信されると，前記応答に基づいて前記制御部９により前記アドレス帳一時記憶部５２にある前記選択送信先も変更するか否かの判定がなされる（Ｓ２００３）。
前記応答が前記アドレス帳一時記憶部５２にある前記選択送信先も変更するものである場合，図１２（ｅ）に示す如く，前記制御部９により，前記送信先アドレス帳５１にある変更後の前記選択送信先が前記アドレス帳一時記憶部５２に複写され，前記アドレス帳一時記憶部５２に記憶されていた変更前の前記選択送信先が変更後のものに書き換えられる（Ｓ２００４）。
そして，前記設定時間が経過すると，前記制御部９により，前記アドレス帳一時記憶部５２から変更後の前記選択送信先が取得され，前記制御部９の制御に従って，前記ファックス送受信部３により前記送信データが送信される（Ｓ１１０６）。
前記送信データの送信が完了すると（Ｓ１１０７），図１２（ｆ）に示す如く，前記制御部９により前記アドレス帳一時記憶部５２の内容が全て消去される（Ｓ１１０８）。
これにより，誤った送信先を修正するなどの確固とした理由がある場合には前記選択送信先を変更し，そうでない場合には前記選択送信先はそのままにしておくなど，利用者の要望に対する柔軟性を高めることができる。
なお，前記手順Ｓ２００１乃至Ｓ２００３において，前記選択送信先が変更されていないと判定されたり，他者による変更が受けられていないとの判定があったり，前記選択送信先の変更を行わないとの判定がされた場合には，前記アドレス帳一時記憶部５２の内容はそのまま維持される。
【００１９】
また，前記実施の形態では，送信先を選択する際や前記送信データの送信を行う際には，前記送信先アドレス帳５１から複写された前記アドレス帳一時記憶部５２の送信先が利用され，前記パーソナルコンピュータ８から受信した受信内容による更新は，前記送信先アドレス帳５１に対して行われたが，これとは逆に，送信先を選択する際や前記送信データの送信を行う際には，前記送信先アドレス帳５１に記憶された送信先を利用し，前記パーソナルコンピュータ８から受信した受信内容による更新は，前記送信先アドレス帳５１の内容が複写された前記アドレス帳一時記憶部５２に対して行うようにしてもよい。
この場合でも，前記更新による影響は，送信先の選択や前記送信データの送信には及ばない。ただし，この場合，前記アドレス帳一時記憶部５２に更新後の送信先が残ることになるので，前記送信データの送信が完了すると，前記制御部９から見たとき，更新後の送信先が残る前記アドレス帳一時記憶部５２が前記送信先アドレス帳５１となるようにし，そのとき前記アドレス帳一時記憶部５２となった元の前記送信先アドレス帳５１の内容を消去したり，前記アドレス帳一時記憶部５２の内容で前記送信先アドレス帳５１を更新し，前記アドレス帳一時記憶部５２の内容を消去するなどの処理が必要となる。前記操作・表示部６を用いたときに前記送信先アドレス帳５１に対して更新が行われるのであれば，前記送信先アドレス帳５１が常に最新となるようにするのが好ましい。
なお，前記送信先アドレス帳５１及び前記アドレス帳一時記憶部５２は，物理的に一つのメモリに確保してもよいし，前記送信先アドレス帳５１や前記アドレス帳一時記憶部５２を別個のメモリに確保してもよい。
また，前記実施の形態では，ファクシミリに本発明を適用したが，これに限られるものではない。例えばスキャナの中には，ネットワークサーバーを有していたり，後付けすることが可能なものがあり，読み取った画像をネットワークサーバーを用いて電子メールやｆｔｐなどにより他のコンピュータに転送することが可能である。このようなスキャナに本発明を適用することも可能である。また，ファクシミリやスキャナ，プリンタなどを組み合わせた複合機などにも適用することが可能である。
【００２０】
【発明の効果】
以上説明した通り，本発明に係る画像読取装置によれば，予め記憶された送信先を更新しようとする他機器の利用者は送信データの送信が完了するのを待つことなく，前記送信先の記憶内容を随時更新することができ，また画像を送信しようとしている利用者が意図していた送信先に確実に画像を送信することができる。
さらに，前記画像読取装置において，例えば前記複写領域に格納されたもののうちから前記送信先選択部により前記送信データの送信先が選択されたときに，前記複写領域に格納された前記送信データの送信先のうち前記選択送信先以外の送信先を，前記制御部により前記複写領域から消去させれば，前記画像送信部により前記送信データが送信されてから前記複写領域の内容を一括消去する場合と比べて，前記送信先記憶部の空き領域が少ない期間が短縮され，空き領域を効率的に利用することができる。
また，前記画像読取装置において，例えば前記複写領域に格納されたもののうちから前記送信先選択部により前記送信データの送信先が選択されたときに，前記複写領域から前記送信データ記憶部に前記選択送信先を複写し，前記複写領域に格納された前記選択送信先以外の送信先は全て消去し，前記複写領域から取得する代わりに前記送信データ記憶部から取得した前記選択送信先へ前記画像送信部に前記送信データを送信させる制御を前記制御部に行わせれば，前記送信先選択部により前記送信データの送信先が選択された後は，前記複写領域が全て空き領域となり，前記送信先記憶部の空き領域を効率的に利用することができる。
さらに，前記画像読取装置において，例えば前記制御部により，前記基本領域において前記選択送信先に変更が加えられている場合に，前記複写領域から取得する代わりに前記基本領域から取得した前記選択送信先へ前記画像送信部に前記送信データを送信させれば，前記送信先記憶部に記憶された前記送信データの送信先に誤りがあるような場合でも，利用者が本当に意図していた送信先に前記送信データを送信する可能性を高くすることができる。
また，前記画像読取装置において，例えば前記基本領域において前記選択送信先に変更が加えられている場合に，前記制御部により，前記複写領域の前記選択送信先も変更するか否かを問い合わせるメッセージを前記他機器へ送信させ，前記メッセージに対して前記複写領域の前記選択送信先も変更する応答が前記他機器から受信されたときに，前記複写領域の前記選択送信先を前記基本領域の変更後の前記選択送信先に更新させるようにすれば，既に定められた前記選択送信先を変更しないか変更するかを前記他機器の利用者が選択することができ，誤った送信先を修正するなどの確固とした理由がある場合には前記選択送信先を変更し，そうでない場合には前記選択送信先はそのままにしておくなど，利用者の要望に対する柔軟性を高めることができる。
また，前記画像読取装置において，前記制御部が，前記送信制御を行う場合に，前記複写領域に格納された前記送信データの送信先のうちから行わせる代わりに，前記送信先選択部による選択を前記基本領域に格納された前記送信データの送信先のうちから行わせ，前記複写領域の代わりに前記基本領域から取得した前記選択送信先へ前記画像送信部に前記送信データを送信させてから，前記複写領域の代わりに前記基本領域の内容を消去し，前記更新制御を行う場合に，前記基本領域の代わりに前記複写領域に格納された前記送信データの送信先を前記受信内容に更新させるようにしても，他機器の利用者は，前記画像送信部による前記送信データの送信が完了するのを待つことなく，前記送信先記憶部の記憶内容を随時更新することができ，また，画像を送信しようとしている利用者の意図とは異なったところに画像が送信されることも防止される。
【図面の簡単な説明】
【図１】本発明の実施の形態に係るファクシミリＡ１の概略構成を示す図。
【図２】前記ファクシミリＡ１の送信先記憶部に記憶された送信先の具体例を示す図。
【図３】前記ファクシミリＡ１の動作を説明するためのフローチャート。
【図４】前記ファクシミリＡ１の送信先アドレス帳とアドレス帳一時記憶部の記憶内容の変遷を説明するための図。
【図５】前記ファクシミリＡ１の実施例に係る動作を説明するためのフローチャート。
【図６】前記実施例に係る動作における送信先アドレス帳とアドレス帳一時記憶部の記憶内容の変遷を説明するための図。
【図７】前記ファクシミリＡ１の他の実施例に係る動作を説明するためのフローチャート。
【図８】前記他の実施例に係る動作における送信先アドレス帳とアドレス帳一時記憶部の記憶内容の変遷を説明するための図。
【図９】前記ファクシミリＡ１のさらに他の実施例に係る動作を説明するためのフローチャート。
【図１０】前記さらに他の実施例に係る動作における送信先アドレス帳とアドレス帳一時記憶部の記憶内容の変遷を説明するための図。
【図１１】前記ファクシミリＡ１のさらに他の実施例に係る動作を説明するためのフローチャート。
【図１２】前記さらに他の実施例に係る動作における送信先アドレス帳とアドレス帳一時記憶部の記憶内容の変遷を説明するための図。
【符号の説明】
１…スキャナ部
２…ジョブ記憶部
３…ファックス送受信部
５…送信先記憶部
６…操作・表示部
７…ネットワークインターフェース部
８…パーソナルコンピュータ
９…制御部
５１…送信先アドレス帳
５２…アドレス帳一時記憶部
【図１】
0003618662.tif 000002
【図２】
0003618662.tif 000003
【図３】
0003618662.tif 000004
【図４】
0003618662.tif 000005
【図５】
0003618662.tif 000006
【図６】
0003618662.tif 000007
【図７】
0003618662.tif 000008
【図８】
0003618662.tif 000009
【図９】
0003618662.tif 000010
【図１０】
0003618662.tif 000011
【図１１】
0003618662.tif 000012
【図１２】
0003618662.tif 000013